(57)【要約】【課題】      本発明は、背中洗い機能を向上させた入浴に供されるボディタオルに関する。【解決手段】  背中中央部位（脊髄付近）のへこみに対して、ボディタオルの中央部に共生地等を縫製等で取り付けられたポケットに、同へこみの曲率半径より充分に小さい半径の円柱体又は円筒体又はチューブの、装着又は内臓による膨らみ（タッチング部）において、円柱体あるいは円筒体は材質が容易に曲げられる発泡樹脂で、チューブは材質が容易に曲げられるゴムあるいは肉薄な樹脂により構成される。【選択図】図１
2010029609.tif 000002
【特許請求の範囲】
【請求項１】
背中中央部位（脊髄付近）のへこみに対して、ボディタオルの中央部に共生地等を縫製等で取り付けられたポケットに、同へこみの曲率半径より充分に小さい半径の円柱体又は円筒体、あるいはチューブの装着又は内臓による膨らみ（タッチング部）が構成されたボディタオルである。
【請求項２】
背中中央部位（脊髄付近）のへこみに対して、ボディタオルの中央部に共生地等を縫製等で取り付けられたポケットの膨らみ（タッチング部）において、装着又は内臓された，円柱体あるいは円筒体で材質が容易に曲げられる発泡樹脂，又はチューブで材質が容易に曲げられるゴムあるいは肉薄な樹脂により構成される。
【発明の詳細な説明】
【発明の詳細な説明】
【技術分野】
【０００１】  本発明は、背中洗い機能を向上させた入浴に供されるボディタオルに関する。
【背景技術】
【０００２】  一般的に入浴では、ボディータオルを使用して体を洗うが背中、特に中央部位（脊髄付近）のへこみは、ボディタオルによる接触が充分でなく洗いが不完全であり、且つ完全を求めるあまり強くボディタオルを左右に引っ張り，強い摩擦力でへこみ周辺部位の角質を落としすぎる傾向があった。【０００３】  これらを改善するために、ボディタオル中央部に膨らみをもたせ、背中中央部のへこみを容易に洗うためタオルの長手方向に一対の切り込みを入れハンドタオル、浴用スポンジ、へちまを、はめ込んだもの（特許文献１）、帯状のスポンジを長手方向に直交するよう、二枚のタオル間に固定するもの（特許文献２）、中空で帯状のタオル内にスポンジ芯を入れたもの（特許文献３）、タオル中央部にスポンジを入れるための袋を作り、スポンジを入れたもの（特許文献４）タオル本体に設けられた透水性を有するポケットに、スポンジ、小タオル、たわし、玉、ハーブ、石鹸の内いずれか一つを収納するもの（特許文献５）、タオル中央部にギャザーを取り付け、その凸凹を利用するもの。（特許文献６）、スポンジタオルで、いくつかの折れ曲がり部を有するもの（特許文献７）、タオルに束ね紐を通し穴に通し、先端で結ぶことにより構成されたポケットに中空ゴムボールを入れたもの（特許文献８）中央部をわずかに重ね合せ凸部を作ったもの（特許文献９）、タオルの中央部を通常幅より１．５倍から２．０倍に広げそこにひと結び目を設るもの（特許文献１０）、二つ折りした荒めのタオルにたわしを内臓させ、たわしの表面針状部がタオル網目から突出されたもの（特許文献１１）などがある。【０００４】特許文献１  特開２００７−１６７３５０
特許文献２  特開２０００−３２５２５４
特許文献３  実用新案公開平５−６５２９１
特許文献４  登録実用新案３０８１００５
特許文献５  登録実用新案３０７８６４４
特許文献６  登録実用新案３０２０７５０
特許文献７  特開平１０−２５７９９０
特許文献８  特開２００７−３３０７４８
特許文献９  特開２００６−２３９３３９
特許文献１０登録実用新案３１３３４１１
特許文献１１登録実用新案３０１３７８５
【発明の開示】
【発明が解決しようとする課題】
【０００５】  ボディタオルによる背中中央部のへこみ洗いを、改善する方法としては従来の方法はいくつか有るが実効性、背中の他の部位の洗いすぎ、背中以外の部位との両立性、生産コスト面、等で納得のいくものは無かった。【０００６】  タオルの長手方向に一対の切り込みを入れハンドタオル、浴用スポンジ、へちまをはめ込むものは、固定が完全ではなく又取り付けが長手方向では、背中中央部へこみへの接触が完全ではなく、さらに必要以上にタオルを左右に強く引っ張り、へこみ周辺部位を洗いすぎ角質を落としすぎる等の不具合があった。【０００７】  帯状のスポンジを長手方向に直交するよう二枚のタオル間に固定するものは、接触面が平面であるスポンジを使用するかぎり背中中央部へこみへの接触は、完全ではなく更に必要以上にタオルを左右に強く引っ張る等の問題があった。【０００８】  中空で帯状のタオル内にスポンジ芯を入れるものも、接触面が平面であるスポンジを使用する限り背中中央部へこみへの接触は完全ではないため、必要以上にタオルを左右に強く引っ張り、さらに独立した中空部を設けることにより、コストアップの問題があった。【０００９】  タオルにスポンジを入れるための袋を設け、その袋にスポンジをいれるものも、接触面が平面で背中中央部へこみへの接触は完全ではなく、そのため必要以上にタオルを左右に強く引っ張りすぎる等の問題があった。【０００１０】  タオル本体に設けられた、透水性を有するポケットにスポンジ、小タオル、たわし、玉、ハーブ、石鹸のいずれか一つを収納するものは、スポンジ、小タオル、たわし、石鹸では接触面が平面で背中中央部へこみへの接触が完全ではなく、玉については接触面が小さな円であり、ハーブについては接触面がまばらで背中中央部へこみへの良好な接触が得られない問題があった。【００１１】  タオル中央部にギャザーを設けて凸凹を利用するものは、ギャザー単体では背中中央部へこみへの接触が弱く、又コストアップの問題があった。【００１２】  いくつかの小さなスポンジタオルを組み合わせ、折れ曲がり部を有するものは背中中央部へこみへの接触が充分ではなく、又コストアップの問題があった。【００１３】  束ねひもをタオルに設けられた通し穴に通し、先端で結ぶことにより構成されたポケットに中空ボールを入れたものはコストアップの問題と、接触面が小さな円であり接触面積がタオル接触面積に比較して小さなものでありタオルの使用方法によっては洗い残しが発生する問題があった。【００１４】  タオル中央部をわずかに重ね合わせ縫い上げヒダを設けるものは、背中中央部へこみに接触するが当たりが弱いため、そのため左右に強く引っ張り同へこみ周辺の部位の角質を落としすぎる問題があった。【００１５】  タオルの中央部を通常より１．５倍から２．５倍幅を広げ、そこに良好な接触感が得られる大きさと硬さを有するひと結びを設けたものは、結び目を作ったり解いたりする作業が煩わしく、且つ中央部幅が異なるため製造面やコスト面での問題があった。【００１６】  二つ折りした荒めのタオルにたわしを内臓させたものは、たわしの針状の素材が直接的に背中にあたり、タオル生地と接触感が異なることで必要以上に洗い過ぎるため背中の角質を落としすぎ、且つ構造上コストアップの問題もあった。【００１７】  そこで、本発明は従来の方法にこれらの問題点を見つけ、これらを解決したもので背中中央部のくぼみ等の洗いに優れた、ボディタオルを提供することを目的としたものである。
【課題を解決するための手段】
【００１８】  請求項１の発明は、背中中央部位（脊髄付近）のへこみに対して、ボディタオルの中央部に共生地等を縫製等で取り付けられたポケットに、同へこみの曲率半径より充分に小さい半径の円柱体又は円筒体、あるいはチューブの装着又は内臓による膨らみ（タッチング部）が構成されたボディタオルである。【００１９】  請求項２の発明は、背中中央部位（脊髄付近）のへこみに対して、ボディタオルの中央部に共生地等を縫製等で取り付けられたポケットの膨らみ（タッチング部）に、装着又は内蔵された円柱体あるいは円筒体では、材質が容易に曲げられる発泡樹脂、又はチューブでは材質が容易に曲げられるゴムあるいは肉薄な樹脂により構成される。
【発明の効果】
【００２０】  請求項１の発明のボディタオルによれば、背中中央部のくぼみの曲率半径に対して充分小さい半径のタッチング部により接触・摩擦されるため、同くぼみ曲面に沿った洗いができる。【００２１】  請求項１の発明によれば、ボディタオルの左右の動き（Ｙ軸）を勘案すればボディタオル中央部の皮膚感覚にすぐれたタッチング部は、少ない接触面積であっても線形（Ｘ軸）のものが適合しており、そのことによってタッチングは、線から面への展開が容易に実現でき、概ね成人の人差し指程度（フィンガーサイズ）、若しくは以下の径のコンパクトなもので充分であり、タッチングしている背中の皮膚との組み合わせにより、位置および負荷のセンサーを構成しており、その結果ボディタオルの水平の動き（Ｙ軸）と背中中央部のくぼみ面に沿ったボディタオルと垂直な動き（Ｚ軸）が体感可能となり、ボディタオルを両手により左右に引っ張り、強さと速さを適度に調節することにより、過不足無く背中中央部を含めた背中全体を心地よく洗うことができる。【００２２】  請求項２の発明によれば、タッチング部の装着体を成人の概ね人差し指程度（フィンガーサイズ）、若しくは以下の径の円柱体で材質が発泡樹脂、又はゴムあるいは肉薄な樹脂によるチューブで構成されるため、容易に曲げられるフレキシブルなもので背中中央部のくぼみ面や、左右の肩甲骨周辺のなだらかな勾配部に沿ったタッチングが可能となり、従来タッチングが良好でなかったことにより意識的にボディタオルを左右に強く引っ張るため、特にしにくいへこみの左右周辺部位に対して、ボディタオルが過剰にタッチングし強く摩擦することで、古い角質を必要以上に落としすぎる問題が防げる。【００２３】  請求項２の発明によれば、形状・寸法・材質の特徴であるコンパクト且つフレキシブルにより、背中以外の部位を洗う場合でもタッチング部は、特段の違和感が無く（意識することが無く）使用することができ汎用性（両立性）が確保される。
【発明を実施するための最良の形態】
【実施例】
【００２４】  以下本発明の実施例を図１、図２に基づいて説明する。
図１−２に示すように、寸法が１０００ｍｍ×３００ｍｍのボディタオルを二つ折りした長手方向のほぼ中央部に、図１−３に示すように、縫いしろを含め寸法が９０ｍｍ×５０ｍｍの共生地によるポケットを縫製により取り付け、図１−４に示すように寸法が直径１８ｍｍ×長さ６０ｍｍの水分の吸収しにくい発泡スチロール製（比重０．０２４）の円柱体タッチング部を装着し、固形あるいは液状の石鹸をボディタオルに塗布及び含浸させ、図２−５に示すように背中中央部のくぼみに図２−６に示すようにタッチング部を、図２−７に示すように背中中央部のくぼみに沿って（Ｘ軸）を当て、そこからゆっくり（スロー（往復５回／１０秒））且つ柔らかく（ソフト）両手でボディタオルを、図２−８に示すように左右にタッチング感を確認しながら動かし（Ｙ軸）、背中中央部のくぼみと肩甲骨周辺のなだらかな勾配部位において、図２−９に示すように確実にボディタオルと垂直な動きによるタッチング（Ｚ軸）も確認して、更に部分的に過剰にタッチングし強く摩擦することがなくなり、古い角質を必要以上に落としすぎることなく良好なタッチング感により、背中全体に心地のよさを感じながら洗うことができ、又タッチング部はコンパクト且つフレキシブルの特徴を有するため手掌に容易に収まり、背中以外の部位の洗いにおいて、従来のボディタオルと差異が無く洗えて汎用性（両立性）を有することが確認できた。
【図面の簡単な説明】
【００２５】
【図１】本発明の構成を示した図。
【図２】本発明のタッチング機能の概念を示した図。
【符号の説明】
【００２６】    １          ボディタオル本体（全体図）
２          ボディタオル本体（二つ折り図）
３          取り付けるポケット
４          装着される発泡スチロール
５          背中のくぼみ
６          タッチング材（発泡スチロール）
７          Ｘ軸（タッチング材長手方向）
８          Ｙ軸（タッチング材左右往復洗い方向）
９          Ｚ軸（タッチング材垂直動き方向）
【図１】
2010029609.tif 000003
【図２】
2010029609.tif 000004